(57)【要約】【課題】遊技店が営業中であっても、例えば極端なくぎ曲げの有無を判断するのに適した信号を外部に出力することができるパチンコ遊技機を提供する。【解決手段】主制御基板は、複数のグループに分けられた複数の入賞口のいずれかに遊技球が入賞したときに、遊技球が当該入賞口の属するグループに入賞したことを示す入賞球信号を生成して出力する。第二外部端子板７００は、主制御基板から出力された入賞球信号を中継して外部に送出するものであり、入賞球信号の各々に対して設けられた、当該入賞球信号を接点の開閉信号に変換して出力する第一リレー回路及び第二リレー回路と、第一リレー回路（Ｘ１，Ｘ３，Ｘ５）の各々から出力される接点の開閉信号を出力する第二コネクタＣＮ２１〜ＣＮ２３と、第二リレー回路（Ｘ２，Ｘ４，Ｘ６）の各々から出力される接点の開閉信号を出力する第三コネクタＣＮ３とを備える。【選択図】図５
2018064697.tif 000002
【特許請求の範囲】
【請求項１】
遊技球を入賞させるための入賞口が設けられた遊技盤と、遊技機で予め定められたイベントが発生したときに当該イベントの発生を示す遊技機信号を生成して出力する遊技制御手段と、前記遊技制御手段から出力された前記遊技機信号を中継して外部に送出する外部端子板とを備えるパチンコ遊技機であって、
前記外部端子板は、前記遊技機信号が入力する入力端子と、前記入力端子に入力した前記遊技機信号を接点の開閉信号に変換して出力する第一リレー回路及び第二リレー回路と、前記第一リレー回路から出力される前記接点の開閉信号を外部に出力するための第一出力端子と、前記第二リレー回路から出力される前記接点の開閉信号を外部に出力するための第二出力端子とを有することを特徴とするパチンコ遊技機。
【請求項２】
前記遊技制御手段は、前記遊技機信号として、遊技球が前記入賞口に入賞したというイベントの発生を示す入賞球信号を生成して出力することを特徴とする請求項１記載のパチンコ遊技機。
【請求項３】
前記遊技盤には前記入賞口が複数設けられており、
前記遊技制御手段が生成する前記入賞球信号は、複数の前記入賞口のいずれかに遊技球が入賞したときに遊技球が当該入賞口に入賞したというイベントの発生を示すものであり、
前記外部端子板は、前記入賞球信号が個別に入力する前記入力端子と、前記各入力端子に入力した前記入賞球信号に対して設けられた、当該入賞球信号を接点の開閉信号に変換して出力する前記第一リレー回路及び前記第二リレー回路と、前記各第一リレー回路から出力される前記接点の開閉信号を個別に外部に出力するための前記第一出力端子と、前記各第二リレー回路から出力される前記接点の開閉信号を個別に外部に出力するための前記第二出力端子とを有することを特徴とする請求項２記載のパチンコ遊技機。
【請求項４】
前記遊技盤には前記入賞口が複数設けられ、複数の前記入賞口は複数のグループに分けられており、
前記遊技制御手段が生成する前記入賞球信号は、複数の前記入賞口のいずれかに遊技球が入賞したときに遊技球が当該入賞口の属するグループに入賞したというイベントの発生を示すものであり、
前記外部端子板は、前記入賞球信号が個別に入力する前記入力端子と、前記各入力端子に入力した前記入賞球信号に対して設けられた、当該入賞球信号を接点の開閉信号に変換して出力する前記第一リレー回路及び前記第二リレー回路と、前記各第一リレー回路から出力される前記接点の開閉信号を個別に外部に出力するための前記第一出力端子と、前記各第二リレー回路から出力される前記接点の開閉信号を個別に外部に出力するための前記第二出力端子とを有することを特徴とする請求項２記載のパチンコ遊技機。
【請求項５】
複数の前記入賞口は、第一始動入賞口が属する第一グループと、第二始動入賞口が属する第二グループと、少なくとも一つの一般入賞口が属する第三グループという三つのグループに分けられており、
前記遊技制御手段は、前記入賞球信号として、遊技球が前記第一グループに入賞したというイベントの発生を示す第一入賞球信号、遊技球が前記第二グループに入賞したというイベントの発生を示す第二入賞球信号、及び、遊技球が前記第三グループに入賞したというイベントの発生を示す第三入賞球信号を前記外部端子板に出力することを特徴とする請求項４記載のパチンコ遊技機。
【請求項６】
パチンコ遊技機で予め定められたイベントが発生したときに送られる当該イベントの発生を示す遊技機信号を中継して外部に送出するパチンコ遊技機用外部端子板であって、
前記遊技機信号が入力する入力端子と、
前記入力端子に入力した前記遊技機信号を接点の開閉信号に変換して出力する第一リレー回路及び第二リレー回路と、
前記第一リレー回路から出力される前記接点の開閉信号を外部に出力するための第一出力端子と、
前記第二リレー回路から出力される前記接点の開閉信号を外部に出力するための第二出力端子と、
を具備することを特徴とするパチンコ遊技機用外部端子板。
【請求項７】
前記入力端子は、前記遊技機信号として、遊技球が入賞口に入賞したというイベントの発生を示す入賞球信号を入力するために用いられることを特徴とする請求項５記載のパチンコ遊技機用外部端子板。
【請求項８】
前記入賞球信号は、複数の前記入賞口のいずれかに遊技球が入賞したときに遊技球が当該入賞口に入賞したというイベントの発生を示すものであり、
前記入力端子は、前記入賞球信号の数に対応する数だけ設けられ、前記第一リレー回路及び前記第二リレー回路は、前記各入力端子に入力した前記入賞球信号に対して設けられており、前記第一出力端子は、前記各第一リレー回路から出力される前記接点の開閉信号を個別に外部に出力し、前記第二出力端子は、前記各第二リレー回路から出力される前記接点の開閉信号を個別に外部に出力することを特徴とする請求項７記載のパチンコ遊技機用外部端子板。
【請求項９】
前記入賞球信号は、複数のグループに分けられた複数の前記入賞口のいずれかに遊技球が入賞したときに遊技球が当該入賞口の属するグループに入賞したというイベントの発生を示すものであり、
前記入力端子は、前記入賞球信号の数に対応する数だけ設けられ、前記第一リレー回路及び前記第二リレー回路は、前記各入力端子に入力した前記入賞球信号に対して設けられており、前記第一出力端子は、前記各第一リレー回路から出力される前記接点の開閉信号を個別に外部に出力し、前記第二出力端子は、前記各第二リレー回路から出力される前記接点の開閉信号を個別に外部に出力することを特徴とする請求項７記載のパチンコ遊技機用外部端子板。
【請求項１０】
前記入力端子は、前記入賞球信号として、第一始動入賞口が属する第一グループに遊技球が入賞したというイベントの発生を示す第一入賞球信号が入力する第一入賞球信号用入力端子と、第二始動入賞口が属する第二グループに遊技球が入賞したというイベントの発生を示す第二入賞球信号が入力する第二入賞球信号用入力端子と、少なくとも一つの一般入賞口が属する第三グループに遊技球が入賞したというイベントの発生を示す第三入賞球信号が入力する第三入賞球信号用入力端子とを含むことを特徴とする請求項９記載のパチンコ遊技機用外部端子板。
【発明の詳細な説明】
【技術分野】
【０００１】
本発明は、各種の信号を中継して外部に出力する外部端子板を備えるパチンコ遊技機及びその外部端子板に関する。
【背景技術】
【０００２】
通常、パチンコ遊技機は、遊技店に設置された複数のパチンコ遊技機を管理するホールコンピュータに各種の信号（遊技機信号）を送出している。ここで、パチンコ遊技機には外部端子板が設けられ、この外部端子板がホールコンピュータと接続されている。例えば、パチンコ遊技機からホールコンピュータに送られる遊技機信号には、１０個の賞球が払い出されたときに送出される賞球信号、パチンコ遊技機のドア部が開放状態になったときに送出されるドア開放信号、遊技状態が大当たり遊技状態になったときに送出される大当たり信号、遊技状態が確率変動遊技状態になったときに送出される確変信号、遊技球が第一始動入賞口及び第二始動入賞口のいずれかに入賞して図柄変動表示装置における図柄の変動表示が開始されるときに送出されるスタート信号、図柄の変動表示が停止したときに送出される図柄確定信号がある。ホールコンピュータは、外部端子板から出力される遊技機信号に基づいて、当該パチンコ遊技機の遊技状況に関するデータを収集して管理する。
【先行技術文献】
【特許文献】
【０００３】
【特許文献１】特開２００９−２８５００３号公報
【発明の概要】
【発明が解決しようとする課題】
【０００４】
ところで、近年、例えば、遊技機メーカが出荷する一部のパチンコ遊技機に、型式試験に適合した遊技機に設けられていた遊技くぎとは一致しない遊技くぎが存在するという問題が生じている。具体的に、ある入賞口の近傍に位置する遊技くぎを極端に曲げて、遊技球が当該入賞口にほとんど入らない又は当該入賞口に容易に入るように構成されたパチンコ遊技機が遊技店に設置されていることがある。
【０００５】
従来のパチンコ遊技機でもホールコンピュータに出力される遊技機信号を利用すれば、入賞球の個数に関するデータを得ることできると考えられる。しかしながら、従来のパチンコ遊技機では、上述した遊技機信号から得られる入賞球の個数に関するデータを用いても、極端なくぎ曲げの有無を正確に判断することは困難である。このため、極端なくぎ曲げの有無を判断するのに適した信号を外部に出力する機能を備えるパチンコ遊技機の実現が望まれている。一方、くぎ曲げの有無の判断が営業中の遊技店で行われる場合を考慮すると、その判断を行う者（例えば検査員）がその信号を容易に利用することができることが必要である。
【０００６】
本発明は上記事情に基づいてなされたものであり、遊技店が営業中であっても、例えば極端なくぎ曲げの有無を判断するのに適した信号を外部に出力することができるパチンコ遊技機、及びそのパチンコ遊技機に用いるのに好適なパチンコ遊技機用外部端子板を提供することを目的とするものである。
【課題を解決するための手段】
【０００７】
上記の目的を達成するための本発明は、遊技球を入賞させるための入賞口が設けられた遊技盤と、遊技機で予め定められたイベントが発生したときに当該イベントの発生を示す遊技機信号を生成して出力する遊技制御手段と、遊技制御手段から出力された遊技機信号を中継して外部に送出する外部端子板とを備えるパチンコ遊技機であって、外部端子板は、遊技機信号が入力する入力端子と、入力端子に入力した遊技機信号を接点の開閉信号に変換して出力する第一リレー回路及び第二リレー回路と、第一リレー回路から出力される接点の開閉信号を外部に出力するための第一出力端子と、第二リレー回路から出力される接点の開閉信号を外部に出力するための第二出力端子とを有することを特徴とするものである。ここで、遊技制御手段は、遊技機信号として、遊技球が入賞口に入賞したというイベントの発生を示す入賞球信号を生成して出力することができる。
【０００８】
本発明のパチンコ遊技機では、外部端子板が第一出力端子及び第二出力端子という二系統の出力端子を備えていることにより、一方の系統の出力端子を遊技店においてホールコンピュータに接続するための端子として使用し、もう一方の系統の出力端子を、検査員が遊技機信号に基づいて行う検査のための端子として使用することができる。このため、本発明のパチンコ遊技機は、遊技店が営業中であっても、検査員が遊技機信号に基づいて行う検査に必要な信号を外部に出力することができる。例えば、遊技制御手段が、遊技機信号として、遊技球が入賞口に入賞したときに遊技球が当該入賞口に入賞したというイベントの発生を示す入賞球信号を外部端子板に出力する場合、検査員が、外部端子板においてホールコンピュータが接続されている出力端子とは別の出力端子に外部装置（例えば入賞球計数装置）を接続することにより、この外部装置は、外部端子板から送られる入賞球信号に基づいて遊技球が一定時間の間に当該入賞口に何個入ったのかを示す入賞球の個数に関するデータを取得することができる。したがって、検査員は、外部装置で取得された入賞球の個数に関するデータを用いると、遊技店が営業中であっても本発明のパチンコ遊技機における極端なくぎ曲げの有無について検査を行うことができる。
【０００９】
本発明のパチンコ遊技機において、複数の入賞口が遊技盤に設けられている場合、遊技制御手段は、遊技機信号として、複数の入賞口のいずれかに遊技球が入賞したときに遊技球が当該入賞口に入賞したというイベントの発生を示す入賞球信号を生成するようにしてもよい。また、複数の入賞口が遊技盤に設けられている場合、複数の入賞口を複数のグループに分けておき、遊技制御手段が、遊技機信号として、複数の入賞口のいずれかに遊技球が入賞したときに遊技球が当該入賞口の属するグループに入賞したというイベントの発生を示す入賞球信号を生成するようにしてもよい。これらいずれの場合でも、外部端子板は、入賞球信号が個別に入力する入力端子と、各入力端子に入力した入賞球信号に対して設けられた、当該入賞球信号を接点の開閉信号に変換して出力する第一リレー回路及び第二リレー回路と、各第一リレー回路から出力される接点の開閉信号を個別に外部に出力するための第一出力端子と、各第二リレー回路から出力される接点の開閉信号を個別に外部に出力するための第二出力端子とを用いて構成することができる。これにより、外部端子板に接続された外部装置は、外部端子板から送られる入賞球信号に基づいて遊技球が一定時間の間に各入賞口又は各グループに何個入ったのかを示す入賞球の個数に関するデータを取得することができる。特に、遊技制御手段が遊技機信号として入賞球信号だけを外部端子板に出力する場合には、この外部端子板に接続する外部装置として、例えば、入賞球信号を、入賞口毎に又は入賞口が属するグループ毎にカウントし、そのカウントした入賞口毎又はグループ毎の計数値を表示・記憶する機能を有する専用の装置を用いることができる。
【００１０】
例えば、複数の入賞口を、第一始動入賞口が属する第一グループと、第二始動入賞口が属する第二グループと、少なくとも一つの一般入賞口が属する第三グループという三つのグループに分けたときには、遊技制御手段は、入賞球信号として、遊技球が第一グループに入賞したというイベントの発生を示す第一入賞球信号、遊技球が第二グループに入賞したというイベントの発生を示す第二入賞球信号、及び、遊技球が第三グループに入賞したというイベントの発生を示す第三入賞球信号を外部端子板に出力することになる。このように、遊技制御手段がグループ毎の入賞球信号を外部端子板に出力することにより、入賞口毎の入賞球信号を出力する場合に比べ、入賞球信号の数を減らすことができるので、外部端子板及び外部装置の小型化を図ることができる。
【００１１】
上記の目的を達成するための本発明は、パチンコ遊技機で予め定められたイベントが発生したときに送られる当該イベントの発生を示す遊技機信号を中継して外部に送出するパチンコ遊技機用外部端子板であって、遊技機信号が入力する入力端子と、入力端子に入力した遊技機信号を接点の開閉信号に変換して出力する第一リレー回路及び第二リレー回路と、第一リレー回路から出力される接点の開閉信号を外部に出力するための第一出力端子と、第二リレー回路から出力される接点の開閉信号を外部に出力するための第二出力端子と、を具備することを特徴とするものである。ここで、入力端子は、遊技機信号として、遊技球が入賞口に入賞したというイベントの発生を示す入賞球信号を入力するために用いることができる。
【００１２】
本発明のパチンコ遊技機用外部端子板は、第一出力端子及び第二出力端子という二系統の出力端子を備えることにより、一方の系統の出力端子を遊技店においてホールコンピュータに接続するための端子として使用し、もう一方の系統の出力端子を、検査員が遊技機信号に基づいて行う検査のための端子として使用することができる。このため、本発明のパチンコ遊技機用外部端子板を備える遊技機は、遊技店が営業中であっても、検査員が遊技機信号に基づいて行う検査に必要な信号を外部に出力することができる。例えば、本発明のパチンコ遊技機用外部端子板を、遊技球が入賞口に入賞したときに遊技球が当該入賞口に入賞したというイベントの発生を示す入賞球信号を遊技機信号として生成・出力する機能を有するパチンコ遊技機に適用する場合、検査員が、本発明のパチンコ遊技機用外部端子板においてホールコンピュータが接続されている出力端子とは別の出力端子に外部装置を接続することにより、この外部装置は、本発明のパチンコ遊技機用外部端子板から送られる入賞球信号に基づいて遊技球が一定時間の間に当該入賞口に何個入ったのかを示す入賞球の個数に関するデータを取得することができる。したがって、検査員は、外部装置で取得された入賞球の個数に関するデータを用いると、遊技店が営業中であっても当該パチンコ遊技機における極端なくぎ曲げの有無について検査を行うことができる。
【００１３】
また、本発明のパチンコ遊技機用外部端子板に入力する入賞球信号が、複数の入賞口のいずれかに遊技球が入賞したときに遊技球が当該入賞口に入賞したというイベントの発生を示すものである場合、又は、複数のグループに分けられた複数の入賞口のいずれかに遊技球が入賞したときに遊技球が当該入賞口の属するグループに入賞したというイベントの発生を示すものである場合には、入賞球信号の数に対応する数だけ入力端子を設け、各入力端子に入力した入賞球信号に対して第一リレー回路及び第二リレー回路を設けるようにすればよい。この場合、第一出力端子が、各第一リレー回路から出力される接点の開閉信号を個別に外部に出力し、第二出力端子が、各第二リレー回路から出力される接点の開閉信号を個別に外部に出力する。これにより、本発明のパチンコ遊技機用外部端子板に接続された外部装置は、それから送られる入賞球信号に基づいて遊技球が一定時間の間に各入賞口又は各グループに何個入ったのかを示す入賞球の個数に関するデータを取得することができる。例えば、入力端子は、入賞球信号として、第一始動入賞口が属する第一グループに遊技球が入賞したというイベントの発生を示す第一入賞球信号が入力する第一入賞球信号用入力端子と、第二始動入賞口が属する第二グループに遊技球が入賞したというイベントの発生を示す第二入賞球信号が入力する第二入賞球信号用入力端子と、少なくとも一つの一般入賞口が属する第三グループに遊技球が入賞したというイベントの発生を示す第三入賞球信号が入力する第三入賞球信号用入力端子とを含むように構成することができる。このように、グループ毎の入賞球信号が各入力端子に個別に入力することにより、入賞口毎の入賞球信号が各入力端子に個別に入力する場合に比べ、入賞球信号の数を減らすことができるので、本発明のパチンコ遊技機用外部端子板の小型化を図ることができる。
【発明の効果】
【００１４】
本発明のパチンコ遊技機では、外部端子板が第一出力端子及び第二出力端子という二系統の出力端子を備えていることにより、一方の出力端子に既にホールコンピュータを接続していても、他方の出力端子にホールコンピュータ以外の外部装置を接続することができる。このため、本発明のパチンコ遊技機は、遊技店が営業中であっても、検査員が遊技機信号に基づいて行う検査等に必要な信号を外部に出力することができる。特に、遊技制御手段が遊技機信号として入賞球信号を生成して外部端子板に出力する場合には、外部装置は、外部端子板から送られる入賞球信号に基づいて入賞球の個数に関するデータを取得することができるので、検査員は、遊技店が営業中であっても、外部装置で取得された入賞球の個数に関するデータに基づいて本発明のパチンコ遊技機における極端なくぎ曲げの有無について検査を行うことができる。また、本発明のパチンコ遊技機用外部端子板は、第一出力端子及び第二出力端子という二系統の出力端子を備えているので、特に遊技機信号として入賞球信号を生成して出力する機能を有するパチンコ遊技機に用いるのに好適である。
【図面の簡単な説明】
【００１５】
【図１】図１は本発明の一実施形態であるパチンコ遊技機の概略正面図である。
【図２】図２はそのパチンコ遊技機の概略裏面図である。
【図３】図３はそのパチンコ遊技機の概略制御ブロック図である。
【図４】図４は本実施形態のパチンコ遊技機における第二外部端子板の概略平面図である。
【図５】図５はその第二外部端子板の概略配線図である。
【図６】図６は本実施形態のパチンコ遊技機において第二外部端子板と外部装置との接続状況を説明するための図である。
【発明を実施するための形態】
【００１６】
以下に、図面を参照して、本願に係る発明を実施するための形態について説明する。図１は本発明の一実施形態であるパチンコ遊技機の概略正面図、図２はそのパチンコ遊技機の概略裏面図、図３はそのパチンコ遊技機の概略制御ブロック図である。
【００１７】
本実施形態のパチンコ遊技機は、図１、図２及び図３に示すように、機枠１０と、ドア部２０と、球受皿３１，３２と、発射ハンドル４０と、遊技盤５０と、図柄変動表示装置６０と、電飾表示部７０と、スピーカ部８０と、始動ゲートセンサ１１１と、四つの一般入賞口センサ１１２ａ，１１２ｂ，１１２ｃ，１１２ｄと、第一始動入賞口センサ１１３と、第二始動入賞口センサ１１４と、大入賞口センサ１１５と、ドア部開放検出センサ１１６と、普通電動役物用ソレノイド１２１と、特別電動役物用ソレノイド１２２と、賞球タンク２１０と、貸球払出装置２２０と、賞球払出装置２３０と、払出制御基板３１０と、発射ソレノイド３２０と、発射制御基板３３０と、貸球払出装置接続端子板３４０と、主制御基板４００と、演出制御基板５００と、第一外部端子板６００と、第二外部端子板７００とを備える。
【００１８】
図１に示すように、ドア部２０は機枠１０の前面に開閉自在に取り付けられている。このドア部２０の前面には、ガラス枠２１と前面板２２が開閉自在に取り付けられている。ドア部開放検出センサ１１６は、ドア部２０が開放していることを検出するものである。ドア部２０が無断で開けられたときには、不正行為が行われている可能性がある。このドア部開放検出センサ１１６からの検出信号は、主制御基板４００に送られる。
【００１９】
また、前面板２２の前面には上部の球受皿３１が設けられ、ドア部２０の下部には下部の球受皿３２が設けられている。上部の球受皿３１は、遊技者に貸し出された遊技球（貸球）や入賞により獲得した遊技球（賞球）を貯留するためのものである。下部の球受皿３２は、上部の球受皿３１の下側に位置しており、上部の球受皿３１が遊技球で満杯の状態にあるときにさらに払い出された遊技球を貯留するためのものである。上部の球受皿３１の所定箇所には、貸球ボタン３３が設けられている。この貸球ボタン３３からの信号は貸球払出装置２２０に送られる。ＩＣ内蔵の記憶媒体（カード）を貸球払出装置２２０に投入した状態で、遊技者が貸球ボタン３３を押すと、所定個数の遊技球が貸し出される。下部の球受皿３２の右側には、打球操作用の発射ハンドル４０が設けられている。遊技者が発射ハンドル４０を所望の角度だけ回転することにより、遊技盤５０に向けて発射される遊技球の発射力を調整することができる。
【００２０】
遊技盤５０は、ガラス枠２１の背後に着脱可能に設置されている。遊技者はガラス枠２１に取り付けられたガラスを通じて前面側から遊技盤５０を視認可能である。この遊技盤５０には、始動ゲート５１と、四つの一般入賞口５２ａ，５２ｂ，５２ｃ，５２ｄと、第一始動入賞口５３と、第二始動入賞口５４と、大入賞口（特別電動役物）５５と、アウト口５６とが設けられている。ここで、第二始動入賞口５４は、その入賞口が開閉する電動チューリップ（普通電動役物）により構成されている。また、遊技盤５０にはガイドレール５８が設けられており、このガイドレール５８で囲まれた領域の中央には、図柄変動表示装置６０が配置されている。ガイドレール５８で囲まれた領域のうち図柄変動表示装置６０が配置された箇所を除く領域は、遊技球が移動可能な遊技領域を構成する。始動ゲート５１、四つの一般入賞口５２ａ，５２ｂ，５２ｃ，５２ｄ、第一始動入賞口５３、第二始動入賞口５４、大入賞口５５、アウト口５６は、この遊技領域に配置されている。
【００２１】
図柄変動表示装置６０としては、例えば液晶表示装置（画像表示装置）が用いられる。この図柄変動表示装置６０は、液晶パネルよりなる表示部を備えており、この表示部に複数の図柄が表示される。具体的に、表示部を例えば三つの表示エリアに分け、それら三つの表示エリアの各々において数字やキャラクタによる図柄で構成される識別情報を個別に変動表示することができる。図柄を変動表示した後、その変動表示が停止すると、３桁３列合計９個の図柄が表示される。このとき、例えば「７」−「７」−「７」のように、三つの表示エリアにおいて所定の入賞ラインに沿って表示される図柄が一致すると、遊技者は大当たりに当選したことを知ることができる。このように、図柄変動表示装置６０は、遊技に関わる演出として、図柄を変動表示する変動表示演出及びその変動表示演出の後に変動表示を停止表示する停止表示演出を行う。図柄変動表示装置６０の制御は、主制御基板４００からのコマンド（指令信号）に基づき演出制御基板５００により行われる。
【００２２】
電飾表示部７０及びスピーカ部８０は遊技盤５０に設けられている。電飾表示部７０は、複数の表示用ランプ（表示素子）を点灯表示することにより遊技に関わる演出を行うものであり、スピーカ部８０は、効果音、ＢＧＭや音声等を出力して遊技に関わる演出を行うものである。また、これら電飾表示部７０及びスピーカ部８０の制御は、主制御基板４００からのコマンドに基づいて演出制御基板５００により行われる。図柄変動表示装置６０、電飾表示部７０、スピーカ部８０はいずれも、遊技に関わる演出を行う演出手段としての役割を果たす。
【００２３】
遊技盤５０の遊技領域の所定位置には、始動ゲート５１が設けられている。始動ゲート５１の裏側には始動ゲートセンサ１１１が設けられている。この始動ゲートセンサ１１１は、遊技球が始動ゲート５１を通過したことを検出するものである。始動ゲートセンサ１１１からの検出信号は主制御基板４００に送られる。主制御基板４００は、その検出信号を受け取ると、普通図柄抽選を行う。この普通図柄抽選は、電動チューリップを開放するかどうか（当たりかどうか）を決定する抽選である。
【００２４】
また、遊技盤５０には、遊技球を入賞させるための各種の入賞口が設けられている。具体的に、遊技領域の下部の所定位置には、一般入賞口５２ａ，５２ｂ，５２ｃ，５２ｄが設けられている。遊技球が一般入賞口５２ａ，５２ｂ，５２ｃ，５２ｄのいずれかに入ると、当該遊技球は入賞する。一般入賞口５２ａ，５２ｂ，５２ｃ，５２ｄの内部にはそれぞれ、一般入賞口センサ１１２ａ，１１２ｂ，１１２ｃ，１１２ｄが設けられている。各一般入賞口センサは、遊技球が当該一般入賞口に入ったことを検出するものである。各一般入賞口センサ１１２ａ，１１２ｂ，１１２ｃ，１１２ｄからの検出信号は主制御基板４００に送られる。主制御基板４００は、その検出信号を受け取ると、所定数の賞球を払い出す旨の賞球指示コマンドを作成して払出制御基板３１０に送信する。これにより、所定数の賞球が払い出される。尚、本実施形態では、遊技盤５０に四つの一般入賞口を設けた場合について説明しているが、一般に、遊技盤５０に設けられる一般入賞口の数は四つに限られない。すなわち、遊技盤５０には少なくとも一つの一般入賞口を設けることができる。
【００２５】
第一始動入賞口５３と第二始動入賞口５４とは、図柄変動表示装置６０の下側の遊技領域において、上下縦一列に並んで設けられている。第一始動入賞口５３は、その上面に開口部が形成された単純構造のものである。これに対し、第二始動入賞口５４は、左右一対の可動片からなる電動チューリップにより構成されている。この電動チューリップは、通常、閉じた状態となっており、例えば、遊技球が始動ゲート５１を通過したことに基づく普通図柄抽選の結果が当たりである場合に、一定時間だけ開放する。このため、電動チューリップが開放したときにだけ、遊技球が第二始動入賞口５４に入賞することが可能である。電動チューリップの開閉は、主制御基板４００からの信号に基づいて普通電動役物用ソレノイド１２１により行われる。
【００２６】
遊技球が第一始動入賞口５３に入ると、当該遊技球は入賞する。第一始動入賞口５３の内部には第一始動入賞口センサ１１３が設けられている。この第一始動入賞口センサ１１３は、遊技球が第一始動入賞口５３に入ったことを検出するものである。第一始動入賞口センサ１１３からの検出信号は主制御基板４００に送られる。主制御基板４００は、その検出信号を受け取ると、所定数の賞球を払い出す旨の賞球指示コマンドを作成して払出制御基板３１０に送信する。これにより、所定数の賞球が払い出される。
【００２７】
同様に、遊技球が第二始動入賞口５４に入ると、当該遊技球は入賞する。ここで、上述したように、普通図柄抽選で当たりに当選しないと電動チューリップは開放されないので、この点で、第二始動入賞口５４への遊技球の入賞は、第一始動入賞口５３への遊技球の入賞に比べて困難である。第二始動入賞口５４の内部には第二始動入賞口センサ１１４が設けられている。この第二始動入賞口センサ１１４は、遊技球が第二始動入賞口５４に入ったことを検出するものである。第二始動入賞口センサ１１４からの検出信号は主制御基板４００に送られる。主制御基板４００は、その検出信号を受け取ると、所定数の賞球を払い出す旨の賞球指示コマンドを作成して払出制御基板３１０に送信する。これにより、所定数の賞球が払い出される。
【００２８】
また、主制御基板４００は、遊技球が第一始動入賞口５３又は第二始動入賞口５４に入り、第一始動入賞口センサ１１３又は第二始動入賞口センサ１１４からの検出信号を受け取ったときに、特別図柄抽選を行う。この特別図柄抽選は、大当たりかどうかを決定する抽選である。特別図柄抽選の結果は、図柄変動表示装置６０において報知される。上述したように、図柄変動表示装置６０は、図柄を変動表示する変動表示演出を行った後、その変動表示を停止する停止表示演出を行う。そして、特別図柄抽選の結果が大当たりである場合には、図柄変動表示装置６０によって表示される三つの図柄は所定の大当たりの態様で停止表示する。
【００２９】
尚、図柄変動表示装置６０の上方には、第一入賞保留表示器５７ａ及び第二入賞保留表示器５７ｂが設けられている。第一入賞保留表示器５７ａは、遊技球が第一始動入賞口５３に入って入賞したが、その入賞に基づく図柄の変動表示が未だ開始されていない回数（保留数）を表示するものであり、一方、第二入賞保留表示器５７ｂは、遊技球が第二始動入賞口５４に入って入賞したが、その入賞に基づく図柄の変動表示が未だ開始されていない回数（保留数）を表示するものである。ここでは、入賞保留表示器５７ａ，５７ｂをそれぞれ、四つのＬＥＤで構成している。すなわち、第一始動入賞口５３への遊技球の入賞に基づく図柄の変動表示の保留数、及び、第二始動入賞口５４への遊技球の入賞に基づく図柄の変動表示の保留数はともに、最大「４」である。
【００３０】
第二始動入賞口５４の下側には、大入賞口５５が設けられている。大入賞口５５は、通常、閉じた状態になっているが、図柄が大当たりの態様で停止表示したとき、すなわち、特別図柄抽選で大当たりに当選したときに、所定のパターンで開閉する。具体的に、大入賞口５５は、開放した後、所定数の遊技球が入賞するか、所定時間経過するかのいずれかの条件を満たすと、一旦、開放状態を終了して閉じる。この開閉動作は所定回数だけ行われる。大入賞口５５の開閉は、主制御基板４００からの信号に基づいて特別電動役物用ソレノイド１２２により行われる。大入賞口５５も当然、入賞口であるので、遊技球が大入賞口５５に入ると、当該遊技球は入賞する。大入賞口５５の内部には大入賞口センサ１１５が設けられている。この大入賞口センサ１１５は、遊技球が大入賞口５５に入ったことを検出するものである。大入賞口センサ１１５からの検出信号は主制御基板４００に送られる。主制御基板４００は、その検出信号を受け取ると、所定数の賞球を払い出す旨の賞球指示コマンドを作成して払出制御基板３１０に送信する。これにより、所定数の賞球が払い出される。また、主制御基板４００はかかる検出信号に基づいて大入賞口５５に入った遊技球の数を認識することができる。特別図柄抽選で大当たりに当選し、その後、大入賞口５５が開閉動作を繰り返している期間の遊技は「大当たり遊技」と称され、遊技者はこの大当たり遊技により多量の遊技球を獲得することが可能である。
【００３１】
遊技領域の最下部にはアウト口５６が設けられており、入賞しなかった遊技球はアウト口５６を介して回収される。尚、遊技領域には、遊技球を予期せぬ方向へ跳ね返らせるための複数の遊技くぎや、遊技球を予期せぬ方向へ方向転換させるための風車５９等も取り付けられている。但し、図１では、図を簡略化するために遊技くぎを省略している。
【００３２】
パチンコ遊技機の内部には、図２に示すように、遊技盤５０の裏面から一定間隔離れて位置する板状部２３が設けられている。その板状部２３の内側下方に各入賞口に入賞した入賞球を集合する入賞球集合部２４が形成されている。板状部２３の裏面上方には賞球タンク２１０が配設され、その賞球タンク２１０の下方には３条の球流路を有する樋レール２５が配設されている。樋レール２５と連通状に、貸球払出装置２２０及び賞球払出装置２３０が設けられている。貸球払出装置２２０はカードの情報に基づいて貸球を払い出すためのものであり、賞球払出装置２３０は遊技球が各種の入賞口に入賞したときに、所定数の賞球を払い出すためのものである。尚、貸球払出装置２２０と賞球払出装置２３０はいずれか一方で他方を兼用するように構成してもよい。
【００３３】
また、パチンコ遊技機の内部には、払出制御基板３１０と、発射ソレノイド３２０と、発射制御基板３３０と、貸球払出装置接続端子板３４０と、主制御基板４００と、演出制御基板５００と、第一外部端子板６００と、第二外部端子板７００とが設けられている。ここで、主制御基板４００は、払出制御基板３１０、演出制御基板５００、第一外部端子板６００、第二外部端子板７００とそれぞれ、通信ケーブル線を介して接続されている。払出制御基板３１０は、発射制御基板３３０、貸球払出装置接続端子板３４０とそれぞれ、通信ケーブル線を介して接続されている。また、貸球払出装置接続端子板３４０は貸球払出装置２２０と通信ケーブル線を介して接続されている。
【００３４】
払出制御基板３１０は、貸球払出装置２２０、賞球払出装置２３０の動作を制御するための基板であり、ＲＯＭ、ＲＡＭ、ＣＰＵ等を備えている。具体的に、貸球払出装置２２０は、カードが投入された状態で、貸球ボタン３３が操作された旨の信号を受け取ると、所定数の貸球を払い出す旨の貸球指示コマンドを、貸球払出装置接続端子板３４０を介して払出制御基板３１０に送出する。このとき、払出制御基板３１０はその貸球指示コマンドに基づいて、所定数の貸球を払い出すように貸球払出装置接続端子板３４０を介して貸球払出装置２２０の動作を制御する。また、遊技球が各入賞口５２ａ〜５２ｄ，５３，５４，５５に入ると、主制御基板４００は所定の賞球指示コマンドを作成して払出制御基板３１０に送出する。このとき、払出制御基板３１０はその賞球指示コマンドに基づいて、要求された数の賞球を払い出すように賞球払出装置２３０の動作を制御する。ここで、一般には、入賞口毎に賞球の数が異なる。
【００３５】
発射ソレノイド３２０は、所定の発射位置に送り出された遊技球を打撃し、遊技領域に向けて打ち出すものである。発射制御基板３３０は発射ソレノイド３２０の動作を制御するものである。また、パチンコ遊技機の内部には、電源ユニット（不図示）が設けられている。この電源ユニットは、外部から供給される交流の電圧１００Ｖの電力を直流の各種電圧に変換して、各部に電力を供給するものである。
【００３６】
次に、主制御基板（遊技制御手段）４００について説明する。主制御基板４００は、遊技状態の管理、遊技球の払出しの制御及び遊技内容の制御を行うための基板であり、ＲＯＭ、ＲＡＭ、ＣＰＵ等を備えている。
【００３７】
本実施形態のパチンコ遊技機には、「通常遊技状態」、「確率変動遊技状態」、「大当たり遊技状態」という三つの遊技状態がある。「通常遊技状態」とは、「確率変動遊技状態」及び「大当たり遊技状態」以外の遊技状態のことであり、電源投入時の遊技状態は通常遊技状態である。「大当たり遊技状態」とは、大当たり遊技の実行中の遊技状態、すなわち、特別図柄抽選で大当たりに当選し、その後、大入賞口５５が所定回数開閉動作を繰り返す遊技状態である。「確率変動遊技状態」とは、抽選で大当たりになる確率が通常よりも高くなっている遊技状態のことである。本実施形態では、大当たり遊技が終了すると、パチンコ機は確率変動遊技状態に移行する。主制御基板４００は、現在、パチンコ遊技機がどの遊技状態にあるかを管理している。また、主制御基板４００は、一般入賞口センサ１１２ａ〜１１２ｄ、第一始動入賞口センサ１１３、第二始動入賞口センサ１１４、大入賞口センサ１１５からの検出信号を受け取ると、当該入賞口に応じた数の賞球を払い出す旨の賞球指示コマンドを払出制御基板３１０に出力する。そして、主制御基板４００は、その出力した賞球指示コマンドに基づいて現在、何個の賞球が払い出されたのかを管理している。
【００３８】
また、主制御基板４００が行う各種の遊技内容の制御としては、入力イベント処理、普通図柄抽選処理、特別図柄抽選処理、演出制御基板へのコマンド出力処理、外部端子板への信号出力処理等がある。入力イベント処理は、始動ゲートセンサ１１１、一般入賞口センサ１１２ａ〜１１２ｄ、第一始動入賞口センサ１１３、第二始動入賞口センサ１１４、大入賞口センサ１１５、ドア部開放検出センサ１１６からの各信号に基づいて、遊技中に発生したイベントを認識し、その内容をイベント情報としてＲＡＭに記憶する処理である。ここで、第一始動入賞口５３に入賞したという内容のイベント情報、第二始動入賞口５４に入賞したという内容のイベント情報はそれぞれ、最大４個までＲＡＭに記憶される。尚、主制御基板４００は、ＲＡＭ５３０に現在記憶されている第一始動入賞口５３の入賞に関するイベント情報に基づいて第一入賞保留表示器５７ａを制御し、ＲＡＭ５３０に現在記憶されている第二始動入賞口５４の入賞に関するイベント情報に基づいて第二入賞保留表示器５７ｂを制御する。
【００３９】
普通図柄抽選処理は、電動チューリップを開放するかどうかを決める普通図柄抽選を行う処理である。具体的に、主制御基板４００は、遊技球が始動ゲート５１を通過したという内容のイベント情報がＲＡＭに記憶されている場合に、普通図柄抽選を行い、当たりか外れかを判定する。この普通図柄抽選は例えば乱数を用いて行われる。普通図柄抽選の結果が当たりである場合、主制御基板４００は、普通電動役物用ソレノイド１２１に信号を送り、電動チューリップを所定時間だけ開放させる。
【００４０】
特別図柄抽選処理は、遊技状態を大当たり遊技状態に移行させるかどうかを決める特別図柄抽選を行う処理である。具体的に、主制御基板４００は、第一始動入賞口５３に入賞したという内容のイベント情報又は第二始動入賞口５４に入賞したという内容のイベント情報が記憶されている場合に、特別図柄抽選を行い、大当たりか外れであるかを決定する。この特別図柄抽選は例えば乱数を用いて行われる。主制御基板４００は、この特別図柄抽選の結果に関する情報をコマンド化して、演出制御基板５００に送出する。特別図柄抽選の結果が大当たりである場合、演出制御基板５００が主制御基板４００から送られたコマンドに基づいて図柄変動表示装置６０における図柄の変動表示を開始し、図柄を大当たりの態様で停止表示させると、主制御基板４００は、特別電動役物用ソレノイド１２２に信号を送り、大入賞口５５を所定パターンで開放させる。
【００４１】
演出制御基板へのコマンド出力処理は、演出制御基板５００に各種のコマンドを出力する処理である。主制御基板４００が演出制御基板５００に出力する各種のコマンドとしては、例えば、現在の遊技状態を指示するコマンドや、特別図柄抽選の結果を報知するための変動表示演出の制御に必要な情報に関するコマンド等がある。特に、主制御基板４００は、後者のコマンドにより、図柄変動表示装置６０における図柄の変動表示の開始タイミング、停止タイミングを管理している。
【００４２】
外部端子板への信号出力処理は、パチンコ遊技機に関する予め定められた各種のイベントが発生したときに当該イベントの発生を示す信号（遊技機信号）を生成すると共に、その生成した遊技機信号を外部端子板６００，７００に出力する処理である。具体的に、主制御基板４００が第一外部端子板６００に送出する遊技機信号としては、１０個の賞球が払い出されたときに送出される賞球信号、ドア部２０が開放状態になったときに送出されるドア開放信号、遊技状態が大当たり遊技状態になったときに送出される大当たり信号、遊技状態が確率変動遊技状態になったときに送出される確変信号、遊技球が第一始動入賞口又は第二始動入賞口に入賞して図柄変動表示装置における図柄の変動表示が開始されるときに送出されるスタート信号、図柄の変動表示が停止したときに送出される図柄確定信号がある。
【００４３】
また、本実施形態では、複数の入賞口（但し、大入賞口５５を除く）は複数のグループに分けられており、主制御基板４００は、複数のグループに分けられた複数の入賞口のいずれかに遊技球が入賞したときに、遊技機信号として、遊技球が当該入賞口の属するグループに入賞したというイベントの発生を示す入賞球信号を生成する。かかる入賞球信号は第二外部端子板７００に出力される。特に、本実施形態では、大入賞口５５を除く複数の入賞口を、第一始動入賞口５３が属する第一グループと、第二始動入賞口５４が属する第二グループと、四つの一般入賞口５２ａ〜５２ｄが属する第三グループという合計三つのグループに分けている。したがって、主制御基板４００が第二外部端子板７００に出力する遊技機信号（入賞球信号）としては、遊技球が第一グループ（第一始動入賞口５３）に入賞したというイベントの発生を示す第一入賞球信号、遊技球が第二グループ（第二始動入賞口５４）に入賞したというイベントの発生を示す第二入賞球信号、遊技球が第三グループ（四つの一般入賞口５２ａ〜５２ｄのいずれか）に入賞したというイベントの発生を示す第三入賞球信号がある。従来のパチンコ遊技機では、かかる入賞球信号が外部端子板に出力されることはなかったが、本実施形態のパチンコ遊技機では、主制御基板４００は入賞球信号を外部端子板に出力する機能を備えている。
【００４４】
演出制御基板５００は、遊技に関わる演出を制御するための基板であり、ＲＯＭ、ＲＡＭ、ＣＰＵ等を備えている。具体的に、演出制御基板５００は、主制御基板４００からの所定のコマンドを受けたときに演出抽選を行うことにより、図柄変動表示装置６０、電飾表示部７０、スピーカ部８０に実行させる演出の内容を決定し、その決定した内容にしたがって図柄変動表示装置６０、電飾表示部７０、スピーカ部８０を制御する。
【００４５】
本実施形態のパチンコ遊技機には、二つの外部端子板６００，７００が設けられている。各外部端子板６００，７００は、主制御基板４００から出力された遊技機信号を中継して外部に送出するためのものである。ここで、各外部端子板６００，７００は、遊技店に設置された遊技機の全体を管理するコンピュータ、すなわち、いわゆるホールコンピュータと接続される。
【００４６】
二つの外部端子板６００，７００のうち第一外部端子板６００には、上述したように、遊技機信号として、賞球信号、ドア開放信号、大当たり信号、確変信号、スタート信号、図柄確定信号が主制御基板４００から個別に入力する。これらの遊技機信号は第一外部端子板６００からホールコンピュータに送られ、ホールコンピュータは、これらの外部信号に基づいて当該パチンコ機の遊技状況に関するデータを収集して管理する。この第一外部端子板６００は通常のパチンコ遊技機に設けられているものと同じである。このため、ここでは、第一外部端子板６００の具体的な構成についての詳細な説明を省略する。
【００４７】
本実施形態のパチンコ遊技機は、第一外部端子板６００とは独立に、第二外部端子板７００を備えている。この第二外部端子板７０は本発明に係るパチンコ遊技機用外部端子板に該当するものである。図４は本実施形態のパチンコ遊技機における第二外部端子板７００の概略平面図、図５はその第二外部端子板７００の概略配線図である。
【００４８】
上述したように、第二外部端子板７００には、遊技機信号として、遊技球が第一グループ（第一始動入賞口５３）に入賞したときに送出される第一入賞球信号、遊技球が第二グループ（第二始動入賞口５４）に入賞したときに送出される第二入賞球信号、遊技球が第三グループ（四つの一般入賞口５２ａ〜５２ｄのいずれか）に入賞したときに送出される第三入賞球信号が主制御基板４００から個別に入力する。そして、これらの入賞球信号は第二外部端子板７００から外部に送出される。このように、本実施形態では、第二外部端子板７００は、入賞球信号だけを外部に出力する役割を果たすので、「入賞球信号出力外部端子板」とも称することができる。
【００４９】
例えば、第二外部端子板７００は、図２に示すように、機枠１０の上部に取り付けられる。具体的に、第二外部端子板７００は、図４及び図５に示すように、１個の第一コネクタＣＮ１と、３個の第二コネクタＣＮ２１，ＣＮ２２，ＣＮ２３と、１個の第三コネクタＣＮ３と、６個のフォトモスリレーＰＭ１〜ＰＭ６と、６個の発光ダイオードＬＥＤ１〜ＬＥＤ６と、６個の抵抗Ｒ１〜Ｒ６とを備えている。ここで、第一コネクタＣＮ１は入力側のコネクタであり、第二コネクタＣＮ２１，ＣＮ２２，ＣＮ２３及び第三コネクタＣＮ３は出力側のコネクタである。すなわち、第二外部端子板７００には、第二コネクタＣＮ２１，ＣＮ２２，ＣＮ２３と、第三コネクタＣＮ３という二系統の信号出力が備わっている。第一コネクタＣＮ１は主制御基板５００のコネクタと通信ケーブル線を介して接続される。３個の第二コネクタＣＮ２１，ＣＮ２２，ＣＮ２３はホールコンピュータのコネクタと通信ケーブル線を介して接続される。また、第三コネクタＣＮ３は、ホールコンピュータ以外の外部装置（例えば後述する専用の入賞球計数装置）のコネクタと専用ケーブル線により接続される。
【００５０】
第一コネクタＣＮ１は４個の端子（入力端子）を有しており、これら４個の端子には主制御基板４００から送られた入賞球信号（遊技機信号）及び電力が個別に入力する。具体的に、図４に示すように、第一コネクタＣＮ１の第１番端子（第一入賞球信号用入力端子）には第一入賞球信号が入力し、第一コネクタＣＮ１の第２番端子（第二入賞球信号用入力端子）には第二入賞球信号が入力し、そして、第一コネクタＣＮ１の第３番端子（第三入賞球信号用入力端子）には第三入賞球信号が入力する。第一コネクタＣＮ１の第４番端子（電力用入力端子）には、電源ユニットから主制御基板４００を経由して供給される電力が入力する。例えば、この第４番端子にはＤＣ１２Ｖの電圧が供給される。
【００５１】
各フォトモスリレーＰＭ１〜ＰＭ６は、入力する信号を接点の開閉信号に変換して出力するものであり、一次側の発光ダイオードと二次側のＭＯＳＦＥＴとから構成される。各フォトモスリレーＰＭｋ（ｋ＝１，２，・・・，６）の一次側の二つの端子のうち一方の端子は、光ダイオードＬＥＤｋ及び抵抗Ｒｋと直列に接続されている。これらフォトモスリレーＰＭｋ、発光ダイオードＬＥＤｋ及び抵抗Ｒｋにより一つのリレー回路Ｘｋが構成される。本実施形態では、６個のリレー回路Ｘ１〜Ｘ６を、信号の出力先に応じて、第一リレー回路Ｘ１，Ｘ３，Ｘ５と、第二リレー回路Ｘ２，Ｘ４，Ｘ６とに区別する。すなわち、第一リレー回路Ｘ１，Ｘ３，Ｘ５は、信号を第二コネクタＣＮ２１，ＣＮ２２，ＣＮ２３に出力するものであり、一方、第二リレー回路Ｘ２，Ｘ４，Ｘ６は、信号を第三コネクタＣＮ３に出力するものである。
【００５２】
各フォトモスリレーＰＭ１〜ＰＭ６の一次側の二つの端子のうち一方の端子には、第一コネクタＣＮ１の第４番端子から供給されるＤＣ１２Ｖの電圧が共通して供給される。また、各フォトモスリレーＰＭｋ（ｋ＝１，２，・・・，６）の一次側の二つの端子のうち他方の端子には、発光ダイオードＬＥＤｋ及び抵抗Ｒｋを介して、第一コネクタＣＮ１の第１番端子、第２番端子及び第３番端子のうちいずれかの端子と接続されている。具体的に、フォトモスリレーＰＭ１，ＰＭ２の一次側の他方の端子は第一コネクタＣＮ１の第１番端子と接続され、フォトモスリレーＰＭ３，ＰＭ４の一次側の他方の端子は第一コネクタＣＮ１の第２番端子と接続され、フォトモスリレーＰＭ５，ＰＭ６の一次側の他方の端子は第一コネクタＣＮ１の第３番端子と接続されている。すなわち、本実施形態では、第一コネクタＣＮ１に入力した第一入賞球信号に対して、その第一入賞球信号が入力する第一リレー回路Ｘ１及び第二リレー回路Ｘ２を設け、第一コネクタＣＮ１に入力した第二入賞球信号に対して、その第二入賞球信号が入力する第一リレー回路Ｘ３及び第二リレー回路Ｘ４を設け、そして、第一コネクタＣＮ１に入力した第三入賞球信号に対して、その第三入賞球信号が入力する第一リレー回路Ｘ５及び第二リレー回路Ｘ６を設けている。また、各フォトモスリレーＰＭｋ（ｋ＝１，２，・・・，６）の二次側の二つの端子はコネクタＣＮ２１，ＣＮ２２，ＣＮ２３，ＣＮ３のいずれかと接続されている。
【００５３】
各フォトモスリレーＰＭｋ（ｋ＝１，２，・・・，６）では、一次側の発光ダイオードが発光すると、二次側のＭＯＳＦＥＴが導通状態となり、その二次側の端子に接続されたコネクタが閉状態となる。本実施形態では、フォトモスリレーＰＭｋの接点は、第一コネクタＣＮ１から当該入賞球信号としてハイレベルの信号が送られているときに、開状態となっており、第一コネクタＣＮ１から当該入賞球信号としてローレベルの信号が送られると、閉状態となる。このため、第二外部端子板７００は、その入力した入賞球信号（ローレベルの信号）を接点の開閉信号に変換して外部に送信することができると共に、外部へ信号を送出する際に、パチンコ遊技機と外部装置（ホールコンピュータ又は入賞球計数装置）との間の電気的絶縁を保持することができる。
【００５４】
また、発光ダイオードＬＥＤｋ（ｋ＝１，２，・・・，６）は、入賞球信号（ローレベルの信号）がフォトモスリレーＰＭｋに入力したときに点灯して信号が入力したことを報知するためのものである。例えば、遊技球をある入賞口に入れたときに、その入賞口に入賞したことを示す入賞球信号に対応するフォトモスリレーＰＭｋの発光ダイオードＬＥＤｋが点灯すれば、当該入賞球信号が主制御基板４００から第二外部端子板７００に正常に出力されているということを確認することができる。また、抵抗Ｒｋ（ｋ＝１，２，・・・，６）は、発光ダイオードＬＥＤｋと、フォトモスリレーＰＭｋの一次側の発光ダイオードとに対する電流制限用抵抗である。
【００５５】
第二コネクタＣＮ２１〜ＣＮ２３はそれぞれ、２個の端子を有しており、ホールコンピュータのコネクタと通信ケーブル線を介して接続される。第二コネクタＣＮ２１〜ＣＮ２３に含まれる合計６個の端子は、３個の第一リレー回路Ｘ１，Ｘ３，Ｘ５の各々から出力される接点の開閉信号を個別にホールコンピュータに出力するための第一出力端子である。具体的に、第一リレー回路Ｘ１から出力された第一入賞球信号に対応する一組の接点の開閉信号のうち一方の信号（第一入賞球信号出力Ａ）は、第二コネクタＣＮ２１の第１番端子から出力され、他方の信号（第一入賞球信号出力Ｂ）は、第二コネクタＣＮ２１の第２番端子から出力される。第一リレー回路Ｘ２から出力された第二入賞球信号に対応する一組の接点の開閉信号のうち一方の信号（第二入賞球信号出力Ａ）は、第二コネクタＣＮ２２の第１番端子から出力され、他方の信号（第二入賞球信号出力Ｂ）は、第二コネクタＣＮ２２の第２番端子から出力される。そして、第一リレー回路Ｘ３から出力された第三入賞球信号に対応する一組の接点の開閉信号のうち一方の信号（第三入賞球信号出力Ａ）は、第二コネクタＣＮ２３の第１番端子から出力され、他方の信号（第三入賞球信号出力Ｂ）は、第二コネクタＣＮ２３の第２番端子から出力される。尚、本実施形態では、各第二コネクタＣＮ２１〜ＣＮ２３を、プッシュターミナルを用いて構成している。
【００５６】
第三コネクタＣＮ３は、４個の端子を有しており、入賞球計数装置のコネクタと専用ケーブル線を介して接続される。第三コネクタＣＮ３の４個の端子は、３個の第二リレー回路Ｘ２，Ｘ４，Ｘ６の各々から出力される接点の開閉信号を個別に入賞球計数装置に出力するための第二出力端子である。実際、第三コネクタＣＮ２の第４番端子を除く３個の端子はそれぞれ、各第二リレー回路Ｘ２，Ｘ４，Ｘ６から出力される一組の接点の開閉信号のうち一方の信号の出力端子となっている。具体的に、第三コネクタＣＮ３の第１番端子は、第二リレー回路Ｘ２から出力される第一入賞球信号に対応する接点の開閉信号（第一入賞球信号出力）を外部に出力する。第三コネクタＣＮ３の第２番端子は、第二リレー回路Ｘ４から出力される第二入賞球信号に対応する接点の開閉信号（第二入賞球信号出力）を外部に出力する。また、第三コネクタＣＮ３の第３番端子は、第二リレー回路Ｘ６から出力される第三入賞球信号に対応する接点の開閉信号（第三入賞球信号出力）を外部に出力する。一方、第三コネクタＣＮ３の第４番端子は、各第二リレー回路Ｘ２，Ｘ４，Ｘ６から出力される一組の接点の開閉信号のうち他方の信号の共通の出力端子となる。すなわち、第三コネクタＣＮ３の第４番端子は、各第二リレー回路Ｘ２，Ｘ４，Ｘ６の出力信号のコモン（リレーコモン）として用いられる。
【００５７】
このように、第二外部端子板７００では、主制御基板４００から出力される三種類の入賞球信号の各々に対して、それが入力するリレー回路を２個設けている。具体的に、第一入賞球信号は第一リレー回路Ｘ１と第二リレー回路Ｘ２に入力し、第二入賞球信号は第一リレー回路Ｘ３と第二リレー回路Ｘ４に入力し、第三入賞球信号は第一リレー回路Ｘ５と第二リレー回路Ｘ６に入力する。したがって、第一リレー回路Ｘ１と第二リレー回路Ｘ２とは同じ信号を出力する。同様に、第一リレー回路Ｘ３と第二リレー回路Ｘ４とは同じ信号を出力し、第一リレー回路Ｘ５と第二リレー回路Ｘ６とは同じ信号を出力する。ところで、第二外部端子板７００においては、三種類の入賞球信号の各々に対してそれが入力するリレー回路を２個設ける代わりに、例えば、各入賞球信号が入力するリレー回路を１個だけ設け、そのリレー回路から出力される信号を二つに分岐させるという構成を採用することも考えられる。しかし、本実施形態では、そのような構成を採用していない。これは、各入賞球信号が入力するリレー回路を２個設けることにより、完全に独立した二系統の信号出力が可能となるからである。例えば、一方のリレー回路に不具合が生じ、当該一方のリレー回路から信号が出力されない場合であっても、もう一方のリレー回路は、その不具合の影響を受けることなく、信号を出力することができる。
【００５８】
次に、第二外部端子板７００の第三コネクタＣＮ３に接続される専用の入賞球計数装置について説明する。本実施形態では、専用の入賞球計数装置として、次のような構成のものを用いている。この入賞球計数装置は、第二外部端子板７００の第三コネクタＣＮ３と専用のケーブル線で接続される。入賞球計数装置には、第二外部端子板７００から出力される各入賞球信号をカウントし、入賞球信号毎にカウントした計数値を表示、記憶する機能が備えられている。実際、入賞球計数装置には、第一グループ（第一始動入賞口５３）に入賞した入賞球の個数、第二グループ（第二始動入賞口５４）に入賞した入賞球の個数、第三グループ（一般入賞口５２ａ〜５２ｄのいずれか）に入賞した入賞球の個数を個別に表示する表示部が設けられている。このように、入賞球計数装置は、第二外部端子板７００から送られる入賞球信号に基づいて遊技球が一定時間の間に各グループに属する入賞口に何個入ったのかを示す入賞球の個数に関するデータを取得することができるので、この入賞球計数装置で取得した入賞球の個数に関するデータを用いると、当該パチンコ遊技機において極端なくぎ曲げが行われているかどうかを判断することが可能である。また、この入賞球計数装置の電源としては例えば単４形電池が用いられる。更に、入賞球計数装置には、パーソナルコンピュータと接続するためのＵＳＢ端子が設けられている。入賞球計数装置とパーソナルコンピュータとをＵＳＢ接続することにより（図６参照）、パーソナルコンピュータは入賞球計数装置に記憶されている各種の入賞球に関するデータを吸い上げて管理することができる。この入賞球計数装置は単純な機能を有するものであるので、既存の電子部品を用いて容易に作製することができる。尚、第二外部端子板７００はその入力側と出力側との電気的絶縁が図られているので、入賞球計数装置については、パチンコ遊技機の電源を入れたまま、第二外部端子板７００への取り付け、取り外しが可能である。
【００５９】
次に、本実施形態のパチンコ遊技機において第二外部端子板７００を介して外部に入賞球信号を出力する動作について説明する。図６は本実施形態のパチンコ遊技機において第二外部端子板７００と外部装置（ホールコンピュータ８００及び入賞球計数装置９００）との接続状況を説明するための図である。
【００６０】
図６に示すように、ホールコンピュータ８００は第二外部端子板７００の第二コネクタＣＮ２１〜ＣＮ２３と接続され、入賞球計数装置９００は第二外部端子板７００の第三コネクタＣＮ３と接続される。ここで、第二外部端子板７００とホールコンピュータ８００とは、パチンコ遊技機を遊技店に設置した際に既に接続されている。これに対し、入賞球計数装置９００は、パチンコ遊技機について検査を行う場合、例えばパチンコ遊技機の遊技くぎが極端に曲げられているかどうかの判断を行う場合等に、第二外部端子板７００の第三コネクタＣＮ３と接続される。通常、この極端なくぎ曲げの有無の判断は、稼働中のパチンコ遊技機から入賞球の個数に関するデータを取得し、その取得したデータに基づいて行われる。このため、その判断を行う者（検査員）は、例えば、入賞球計数装置９００として小型のものを用い、遊技店の営業前又は営業中にその入賞球計数装置９００を第二外部端子板７００の第三コネクタＣＮ３に接続し、当該パチンコ遊技機の裏側の所定箇所に配置しておくようにする。
【００６１】
遊技球が第一始動入賞口５３に入ると、第一始動入賞口センサ１１３は、遊技球が第一始動入賞口５３に入ったことを検出し、その検出信号を主制御基板４００に送出する。主制御基板４００は、その検出信号を受け取ると、第一入賞球信号（ローレベルの信号）を生成し、第二外部端子板７００の第一コネクタＣＮ１の第１番端子に送る。第二外部端子板７００では、第一リレー回路Ｘ１と第二リレー回路Ｘ２とがそれぞれ独立に、その第一入賞球信号を接点の開閉信号に変換する。そして、第一リレー回路Ｘ１で変換された接点の開閉信号は、第二コネクタＣＮ２１を介してホールコンピュータ８００に送られる。一方、第二リレー回路Ｘ２で変換された接点の開閉信号は、第三コネクタＣＮ３の第１番端子及び第４番端子を介して入賞球計数装置９００に送られる。そして、入賞球計数装置９００は、その接点の開閉信号を受け取ると、第一グループ（第一始動入賞口５３）に入賞した入賞球についての計数値を１だけ増加し、その新たな計数値を所定の表示部に表示すると共に、その新たな計数値を記憶部に記憶する。
【００６２】
遊技球が第二始動入賞口５４に入ると、第二始動入賞口センサ１１４は、遊技球が第二始動入賞口５４に入ったことを検出し、その検出信号を主制御基板４００に送出する。主制御基板４００は、その検出信号を受け取ると、第二入賞球信号（ローレベルの信号）を生成し、第二外部端子板７００の第一コネクタＣＮ１の第２番端子に送る。第二外部端子板７００では、第一リレー回路Ｘ３と第二リレー回路Ｘ４とがそれぞれ独立に、その第二入賞球信号を接点の開閉信号に変換する。そして、第一リレー回路Ｘ３で変換された接点の開閉信号は、第二コネクタＣＮ２２を介してホールコンピュータ８００に送られる。一方、第二リレー回路Ｘ４で変換された接点の開閉信号は、第三コネクタＣＮ３の第２番端子及び第４番端子を介して入賞球計数装置９００に送られる。そして、入賞球計数装置９００は、その接点の開閉信号を受け取ると、第二グループ（第二始動入賞口５４）に入賞した入賞球についての計数値を１だけ増加し、その新たな計数値を所定の表示部に表示すると共に、その新たな計数値を記憶部に記憶する。
【００６３】
また、遊技球が四つの一般入賞口５２ａ〜５２ｄのいずれかに入ると、その一般入賞口に対応する一般入賞口センサは、遊技球が当該一般入賞口に入ったことを検出し、その検出信号を主制御基板４００に送出する。主制御基板４００は、その検出信号を受け取ると、第三入賞球信号（ローレベルの信号）を生成し、第二外部端子板７００の第一コネクタＣＮ１の第３番端子に送る。第二外部端子板７００では、第一リレー回路Ｘ５と第二リレー回路Ｘ６とがそれぞれ独立に、その第三入賞球信号を接点の開閉信号に変換する。そして、第一リレー回路Ｘ５で変換された接点の開閉信号は、第二コネクタＣＮ２３を介してホールコンピュータ８００に送られる。一方、第二リレー回路Ｘ６で変換された接点の開閉信号は、第三コネクタＣＮ３の第３番端子及び第４番端子を介して入賞球計数装置９００に送られる。そして、入賞球計数装置９００は、その接点の開閉信号を受け取ると、第三グループ（一般入賞口５２ａ〜５２ｄのいずれか）に入賞した入賞球についての計数値を１だけ増加し、その新たな計数値を所定の表示部に表示すると共に、その新たな計数値を記憶部に記憶する。
【００６４】
こうして、入賞球計数装置９００には、当該パチンコ遊技機においてグループ毎に入賞した入賞球の個数に関するデータが蓄積されていくことになる。検査員は、例えば遊技店の営業が終了した後、入賞球計数装置９００を第二外部端子板７００から取り外す。そして、その入賞球計数装置９００の表示部に表示されている入賞口毎の入賞球の個数に基づいて極端なくぎ曲げの有無を判断することになる。例えば、本日の営業時間内に四つの一般入賞口のいずれかに入った入賞球の個数が０〜３個等、極端に少ない場合、検査員は一般入賞口の近傍に位置する遊技くぎが極端に曲げられていると判断することができる。また、第一始動入賞口に入った入賞球の個数が極端に多い場合には、検査員は第一始動入賞口の近傍に位置する遊技くぎが極端に曲げられていると判断することができる。尚、検査員は、入賞球計数装置９００を用いて入賞球の個数に関するデータを一日中取得し続ける必要はなく、例えば数時間だけデータを取得するようにしてもよい。
【００６５】
本実施形態のパチンコ遊技機では、第二外部端子板が第二コネクタ及び第三コネクタという二系統の出力端子を備えていることにより、一方の系統の出力端子を遊技店においてホールコンピュータに接続するための端子として使用し、もう一方の系統の出力端子を、検査員が入賞球信号に基づいて行う検査のための端子として使用することができる。例えば、主制御基板が、遊技球が入賞口に入賞したときに遊技球が当該入賞口の属するグループに入賞したというイベントの発生を示す入賞球信号を第二外部端子板に出力する場合、検査員が、第二外部端子板においてホールコンピュータが接続されている出力端子とは別の出力端子に外部装置を接続することにより、この外部装置は、第二外部端子板から送られる入賞球信号に基づいて遊技球が一定時間の間に当該入賞口の属するグループに何個入ったのかを示す入賞球の個数に関するデータを取得することができる。したがって、検査員は、外部装置で取得された入賞球の個数に関するデータを用いると、遊技店が営業中であっても本実施形態のパチンコ遊技機における極端なくぎ曲げの有無について検査を行うことができる。
【００６６】
ところで、入賞球の個数に関するデータは、従来のパチンコ遊技機でも主制御基板から外部端子板を介してホールコンピュータに出力される遊技機信号（賞球信号、ドア開放信号、大当たり信号、確変信号、スタート信号、図柄確定信号）を利用しても得ることできるのではないかと思われるかもしれない。しかしながら、これらの遊技機信号から得られる入賞球の個数に関するデータでは、極端なくぎ曲げの有無を正確に判断することは困難である。例えば、従来のパチンコ遊技機では、１０個の賞球が払い出されたときに送出される賞球信号を用いれば、賞球が何個払い出されたかを知ることができるが、遊技球がどの入賞口に入賞したのかを知ることはできない。また、遊技球が第一始動入賞口及び第二始動入賞口のいずれかに入賞して図柄変動表示装置における図柄の変動表示が開始されるときに送出されるスタート信号を用いれば、これら始動入賞口に遊技球が何個入ったのかを知ることができるが、個々の始動入賞口に遊技球が何個入ったのかは知ることはできない。さらに、これらの遊技機信号を利用しても、一般の入賞口に遊技球が何個入ったかを知ることはできない。これに対して、本実施形態のパチンコ遊技機では、主制御基板が、複数の入賞口のいずれかに遊技球が入賞したときに遊技球が当該入賞口の属するグループに入賞したというイベントの発生を示す入賞球信号を第二外部端子板に出力する機能を備えており、第二外部端子板から外部装置に出力される入賞球信号を利用して得られる入賞球の個数に関するデータを用いることにより、極端なくぎ曲げの有無を正確に判断することができるのである。この点で、本実施形態のパチンコ遊技機から出力される入賞球信号は、極端なくぎ曲げの有無を判断するのに適した信号である。
【００６７】
また、本実施形態のパチンコ遊技機では、主制御基板は、遊技機信号として入賞球信号だけを第二外部端子板に出力するようにしている。これにより、第二外部端子板から外部装置へも入賞球信号だけが出力されるので、第二外部端子板に接続する外部装置としては、例えば、入賞球信号を入賞口が属するグループ毎にカウントし、そのカウントしてグループ毎の計数値を表示・記憶する機能を有する専用の装置を用いることができる。更に、本実施形態のパチンコ遊技機では、主制御基板はグループ毎の入賞球信号を第二外部端子板に出力することにより、入賞口毎の入賞球信号を出力する場合に比べ、入賞球信号の数を減らすことができ、したがって第二外部端子板及び外部装置の小型化を図ることができる。
【００６８】
本発明は、上記の実施形態に限定されるものではなく、その要旨の範囲内において種々の変形が可能である。
【００６９】
上記の実施形態では、主制御基板は、複数のグループに分けられた複数の入賞口のいずれかに遊技球が入賞したときに、遊技球が当該入賞口の属するグループに入賞したというイベントの発生を示す入賞球信号を生成して第二外部端子板に出力する場合について説明した。ここで、複数の入賞口のグループ分けを行うに際しては、個々の入賞口に一つのグループを割り当てることも当然可能である。すなわち、複数の入賞口についてグループ分けを行わないことも可能である。この場合、主制御基板は、遊技球が複数の入賞口のいずれかに入賞したときに、遊技球が当該入賞口に入賞したというイベントの発生を示す入賞球信号を生成して第二外部端子板に出力することになる。これにより、第二外部端子板に接続された外部装置は、第二外部端子板から送られる入賞口毎の入賞球信号に基づいて、遊技球が一定時間の間に各入賞口に何個入ったのかを示す入賞球の個数に関するデータを取得することができる。したがって、かかる入賞球の個数に関するデータを用いれば、当該パチンコ遊技機において極端なくぎ曲げが行われているかどうかをより正確に判断することができる。
【００７０】
また、上記の実施形態では、主制御基板が、第一入賞球信号、第二入賞球信号、及び第三入賞球信号という３つの入賞球信号を生成して第二外部端子板に出力する場合について説明したが、主制御基板が第二外部端子板に出力する入賞球信号の数は１つ、２つ、又は４つ以上であってもよい。
【００７１】
また、上記の実施形態では、第二外部端子板に入賞球信号だけが入力する場合について説明したが、第二外部端子板には、入賞球信号に加えて他の遊技機信号を入力させるようにしてもよい。
【００７２】
更に、上記の実施形態では、パチンコ遊技機が、遊技機信号として賞球信号、ドア開放信号、大当たり信号、確変信号、スタート信号及び図柄確定信号が主制御基板から入力する第一外部端子板と、遊技機信号として入賞球信号が主制御基板から入力する第二外部端子板とを備える場合について説明したが、パチンコ遊技機は一つの外部端子板を備え、主制御基板は、入賞球信号を含む遊技機信号をその外部端子板に出力するようにしてもよい。
【００７３】
加えて、上記の実施形態では、主制御基板が、遊技球が入賞口に入賞したというイベントの発生を示す入賞球信号を生成して第二外部端子板に出力する場合について説明したが、主制御基板が第二外部端子板に出力する信号は必ずしも入賞球信号に限られない。一般に、本発明のパチンコ遊技機は、外部端子板が第一出力端子及び第二出力端子という二系統の出力端子を備えることにより、遊技店が営業中であっても、検査員が遊技機信号に基づいて行う検査等に必要な信号を外部に出力することができる。
【産業上の利用可能性】
【００７４】
以上説明したように本発明のパチンコ遊技機では、外部端子板が第一出力端子及び第二出力端子という二系統の出力端子を備えていることにより、一方の出力端子に既にホールコンピュータを接続していても、他方の出力端子にホールコンピュータ以外の外部装置を接続することができる。このため、本発明のパチンコ遊技機は、遊技店が営業中であっても、検査員が遊技機信号に基づいて行う検査等に必要な信号を外部に出力することができる。特に、遊技制御手段が遊技機信号として入賞球信号を生成して外部端子板に出力する場合には、外部装置は、外部端子板から送られる入賞球信号に基づいて入賞球の個数に関するデータを取得することができるので、検査員は、遊技店が営業中であっても、外部装置で取得された入賞球の個数に関するデータに基づいて本発明のパチンコ遊技機における極端なくぎ曲げの有無について検査を行うことができる。また、本発明のパチンコ遊技機用外部端子板は、第一出力端子及び第二出力端子という二系統の出力端子を備えているので、特に遊技機信号として入賞球信号を生成して出力する機能を有するパチンコ遊技機に用いるのに好適である。
【符号の説明】
【００７５】
１０  機枠
２０  ドア部
２１  ガラス枠
２２  前面板
３１，３２  球受皿
４０  発射ハンドル
５０  遊技盤
５１  始動ゲート
５２ａ，５２ｂ，５２ｃ，５２ｄ  一般入賞口
５３  第一始動入賞口
５４  第二始動入賞口
５５  大入賞口
５６  アウト口
５７ａ，５７ｂ  入賞保留表示器
５８  ガイドレール
５９  風車
６０  図柄変動表示装置
７０  電飾表示部
８０  スピーカ部
１１１  始動ゲートセンサ
１１２ａ，１１２ｂ，１１２ｃ，１１２ｄ  一般入賞口センサ
１１３  第一始動入賞口センサ
１１４  第二始動入賞口センサ
１１５  大入賞口センサ
１１６  ドア部開放検出センサ
１２１  普通電動役物用ソレノイド
１２２  特別電動役物用ソレノイド
２１０  賞球タンク
２２０  貸球払出装置
２３０  賞球払出装置
３１０  払出制御基板
３２０  発射ソレノイド
３３０  発射制御基板
３４０  貸球払出装置接続端子板
４００  主制御基板（遊技制御手段）
５００  演出制御基板
６００  第一外部端子板
７００  第二外部端子板
８００  ホールコンピュータ
９００  入賞球計数装置
ＣＮ１  第一コネクタ
ＣＮ２１，ＣＮ２２，ＣＮ２３  第二コネクタ
ＣＮ３  第三コネクタ
Ｘ１，Ｘ３，Ｘ５  第一リレー回路
Ｘ２，Ｘ４，Ｘ６  第二リレー回路
ＰＭ１〜ＰＭ６  フォトモスリレー
ＬＥＤ１〜ＬＥＤ６  発光ダイオード
Ｒ１〜Ｒ６  抵抗
【図１】
2018064697.tif 000003
【図２】
2018064697.tif 000004
【図３】
2018064697.tif 000005
【図４】
2018064697.tif 000006
【図５】
2018064697.tif 000007
【図６】
2018064697.tif 000008